(57)【要約】【課題】  １つの紙幣収納庫を持ち、束入金が可能な紙幣処理機の制御方法において、入金枚数と出金枚数との差で把握される紙幣収納庫内の仮の在高が実際の在高に近付くようにする。【解決手段】  出金または回収時に紙幣収納庫から１枚ずつ払い出されるときに、それが放出対象金種でなければ、循環させ（Ｓ７２）、循環カウンタを＋１加算する（Ｓ７３）。循環カウンタと在高メモリとの枚数カウンタを比較し（Ｓ７４）、循環カウンタの計数値が在高メモリの計数値よりも大きければ、循環カウンタの計数値を在高メモリの枚数カウンタに転記し（Ｓ７５）、大きくなければ、転記しない。これにより、在高メモリの枚数カウンタの値は、循環動作の途中で実際に計数された値より小さかった場合には、その実際に計数された値に補正される。【選択図】  図１０
2005302060.tif 000002
【特許請求の範囲】
【請求項１】
投入した紙幣を判別する入金判別部と、入金した紙幣を受け入れる受入口およびその反対側に紙幣を払い出す払出口を有し複数金種を積載収納する紙幣収納庫と、前記紙幣収納庫より払い出された紙幣を判別する出金判別部と、前記紙幣収納庫より払い出された紙幣を前記紙幣収納庫の受入口へ戻す循環通路とを備えた紙幣処理機の制御方法において、
出金または回収時に前記紙幣収納庫から繰り出され、前記出金判別部で判別された後、前記循環通路を通って前記紙幣収納庫に戻される紙幣の循環枚数を金種別に記憶し、入金枚数と出金枚数との差で把握される前記紙幣収納庫内の金種別の枚数を対応する金種の前記循環枚数と比較し、特定金種の前記循環枚数が前記紙幣収納庫内の対応金種の枚数より多いときに前記紙幣収納庫内の該当金種の枚数を特定金種の前記循環枚数で更新するようにしたことを特徴とする紙幣処理機の制御方法。
【請求項２】
前記紙幣収納庫に紙幣と共に収納されて精査処理に使用される精査紙が前記出金判別部により検出されたとき、前記循環枚数を０クリアするようにしたことを特徴とする請求項１記載の紙幣処理機の制御方法。
【請求項３】
投入した紙幣を判別する入金判別部と、入金した紙幣を受け入れる受入口およびその反対側に紙幣を払い出す払出口を有し複数金種を積載収納する紙幣収納庫と、前記紙幣収納庫より払い出された紙幣を判別する出金判別部と、前記紙幣収納庫より払い出された紙幣を前記紙幣収納庫の受入口へ戻す循環通路とを備えた紙幣処理機の制御装置において、
紙幣を補充する補充モード時に束入金される紙幣の束入金枚数を金種別に記憶する設定メモリと、前記紙幣収納庫内の枚数を金種別に記憶する在高メモリと、出金または回収モード時に前記紙幣収納庫から繰り出された紙幣が出金対象でない金種の場合に前記紙幣収納庫へ戻す循環枚数を金種別に計数する循環カウンタと、前記補充モード時に紙幣の束入金検出に応答して入金された紙幣を前記紙幣収納庫まで搬送して収納しながら前記設定メモリに設定されている前記束入金枚数を前記在高メモリに加算し、出金または回収モード時に前記在高メモリと前記循環カウンタとを比較し、前記在高メモリに記憶された枚数よりも前記循環カウンタの循環枚数が多い場合に前記循環カウンタの循環枚数を前記在高メモリに転記する制御演算部とを備えていることを特徴とする紙幣処理機の制御装置。
【発明の詳細な説明】
【技術分野】
【０００１】
本発明は紙幣処理機の制御方法に関し、特にスーパーマーケットやコンビニエンスストアなどの会計場にて、受け取った紙幣を積載収納し、その積載収納された紙幣を釣銭として再利用することができる釣銭払出し機のような用途に適した紙幣処理機に対して釣銭準備金の補充および運用時における収納庫在高の自動更新を行う紙幣処理機の制御方法に関する。
【背景技術】
【０００２】
近年、スーパーマーケットやコンビニエンスストアなどにおいてＰＯＳ（販売時点情報管理）システムなどの上位装置に接続され、受け取った紙幣を釣銭として再利用することができる紙幣処理機（釣銭払出し機）が硬貨処理機とともに導入されている。
【０００３】
ここで、紙幣処理機とは、概略的には、投入された紙幣を、機械的に取り込み、紙幣収納庫に積載収納し、その入金情報を外部の上位装置に送信したり、外部の上位装置からの釣銭払い出し要求に応じて紙幣収納庫から該当する金額の紙幣を釣銭として払い出す機能を持つものである。
【０００４】
このような、紙幣処理機や硬貨処理機の導入の目的は、金銭の払い出しと収納作業を自動化し、レジ担当者の現金取り扱いの負担を軽減しつつ、精算業務の効率を上げることおよび違算を撲滅することにある。
【０００５】
従来の紙幣処理機においては、紙幣収納庫を取り扱い金種分、または釣銭として用いる金種（５０００円／１０００円）分設けられている。このような紙幣処理機では、入金口から入金された紙幣を入金判別部で金種を判別した、金種が特定された紙幣をそれぞれ対応する金種の専用収納庫に積載収納される。出金動作時には、釣銭金額を最少構成枚数に展開し、該当金種の紙幣を専用収納庫から必要枚数分払い出されるようになっている。ここで、出金動作時に、高額紙幣（５０００円紙幣）がない場合には、すべて１０００円紙幣にて出金するようにしている。
【０００６】
上記の紙幣処理機は、３金種の紙幣をそれぞれ別個に用意された専用の収納庫に収納するようにした構成を有するが、取り引き数の少ない５０００円および１００００円の２金種の紙幣を共通の紙幣収納庫に混合収納するようにし、紙幣収納庫の数を減らして小型化した構成を有するものもある。この場合、出金動作時に、釣銭の５０００円を必要として紙幣収納庫から繰り出された紙幣が出金判別の結果１００００円札であった場合には、この１００００円は元々釣銭としては再使用されることのない金種なので、別途設けられた回収庫へ収納される。
【０００７】
以上のような紙幣処理機では、紙幣処理機の主構成ユニットである収納庫を最低２つ設ける必要があり、小型化、低価格化への障害になっている。これに対し、さらに、小型化を狙って、入金された紙幣を１つの紙幣収納庫に金種混合で積載収納するようにした紙幣処理機も開発されている。このような紙幣処理機では、入金された紙幣は、紙幣収納庫に上から順次積載収納される。出金動作時には、積載収納された紙幣を紙幣収納庫の底部から１枚ずつ繰り出して金種判別を行い、その紙幣が釣銭として払い出すべき金種の場合には、そのまま出金口へ搬送し、払い出すべき金種でなければ再度紙幣収納庫へ戻すようにし、釣銭として再利用されない１００００円札の場合には、回収庫へ収納するようにしている。
【０００８】
この１つの紙幣収納庫を持つ紙幣処理機では、スーパーマーケットなどでの運用において、取り引きされる紙幣の枚数が複数枚数であることが多いため、接客処理をスムーズに行うために、紙幣の入金に際して複数枚重なった状態でも入金を行うことができる束入金を許容するものもある。
【０００９】
束入金が行われると、当然ながら紙幣処理機内の在高が不確定となるため、たとえばレジ担当者の交替時あるいは通常運用中の必要時に正確な在高を求めるための精査処理が適宜実行される。精査処理では、精査のためだけに使用される精査紙が紙幣収納庫内に入れられており、紙幣収納庫内の紙幣を１枚ずつ繰り出し、それを金種判別して再度紙幣収納庫内に戻すという循環動作を精査紙が検出されてから一巡するまで行う。この精査紙が検出されてから次に検出されるまでの１サイクルの間に紙幣収納庫に積載収納されたすべての紙幣が金種判別されることになり、正確な紙幣処理機内の在高を求めることができる。
【００１０】
また、紙幣処理機では、運用開始前に釣銭準備金をあらかじめ用意しておくことが行われている。もちろん、運用中においても、釣銭として再利用される金種の枚数が少なくなれば、適宜釣銭準備金を補充する必要がある。
【発明の開示】
【発明が解決しようとする課題】
【００１１】
１つの紙幣収納庫を持ち、束入金が可能な紙幣処理機では、紙幣収納庫に収納されている正確な在高は分からないが、上位装置が出金指示を出すためにある程度の在高を把握しておく必要がある。これは、１回の束入金で、１０００円紙幣が２枚入金されたと仮定することで、紙幣収納庫内の最低枚数を知ることができる。しかし、このような状態で運用を続けた場合、精査処理をしない限り、この計算上の在高は、実際の在高から離れていき、誤差が大きくなっていくという問題点があった。
【００１２】
本発明はこのような点に鑑みてなされたものであり、入金枚数と出金枚数との差で把握される紙幣収納庫内の仮の在高が実際の在高に近付くようにした紙幣処理機の制御方法を提供することを目的とする。
【課題を解決するための手段】
【００１３】
本発明では上記問題を解決するために、投入した紙幣を判別する入金判別部と、入金した紙幣を受け入れる受入口およびその反対側に紙幣を払い出す払出口を有し複数金種を積載収納する紙幣収納庫と、前記紙幣収納庫より払い出された紙幣を判別する出金判別部と、前記紙幣収納庫より払い出された紙幣を前記紙幣収納庫の受入口へ戻す循環通路とを備えた紙幣処理機の制御方法において、出金または回収時に前記紙幣収納庫から繰り出され、前記出金判別部で判別された後、前記循環通路を通って前記紙幣収納庫に戻される紙幣の循環枚数を金種別に記憶し、入金枚数と出金枚数との差で把握される前記紙幣収納庫内の金種別の枚数を対応する金種の前記循環枚数と比較し、特定金種の前記循環枚数が前記紙幣収納庫内の対応金種の枚数より多いときに前記紙幣収納庫内の該当金種の枚数を特定金種の前記循環枚数で更新するようにしたことを特徴とする紙幣処理機の制御方法が提供される。
【００１４】
この紙幣処理機の制御方法によれば、出金または回収時には、紙幣収納庫から１枚ずつ払い出されて、それが出金非対象金種の紙幣なら循環通路を通って紙幣収納庫に戻される。入金枚数と出金枚数との差で把握される紙幣収納庫内の枚数は束入金された紙幣に対しては、入金枚数を小額紙幣２枚換算で計数しているため実枚数とは異なっている。これに対し、循環時に計数される枚数は実際に紙幣収納庫に収納されている紙幣を計数したものである。そこで、循環紙幣がある度に、紙幣収納庫内の枚数として把握されている枚数と循環枚数とを比較し、循環枚数の方が多ければ、それを紙幣収納庫内の枚数とするように逐次補正することで、束入金によって生じる誤差が累積されることがなくなる。
【発明の効果】
【００１５】
本発明では、入金枚数と出金枚数との差で把握される紙幣収納庫内の各金種の枚数と、出金または回収時に紙幣収納庫の底部から繰り出され、循環通路を介して紙幣収納庫上部へ戻された各金種の紙幣の枚数とを比較し、循環枚数の方が多い場合は、紙幣収納庫の在高をその循環枚数に更新するように構成した。これにより、束入金によって生じる誤差が累積されることがなくなり、紙幣収納庫内の在高を実枚数に近づけることができる。
【発明を実施するための最良の形態】
【００１６】
以下、本発明の実施の形態を、金銭処理装置に適用した場合を例に図面を参照して詳細に説明する。
図１は本発明の紙幣処理機を搭載した金銭処理装置の外観を示す図、図２は紙幣処理機の内部構成を示す側断面図である。これらの図において、金銭処理装置１０は、正面から見て右側に配置された紙幣処理機と左側に配置された硬貨処理機とが一体に形成されたもので、外観的には、紙幣処理機側では、紙幣を入金するための入金口１１と、紙幣処理機から紙幣が釣銭として払い出される出金口１２と、釣銭としては利用されない高額紙幣が収納される紙幣回収庫１３とが設けられ、硬貨処理機側では、硬貨を投入するための入金口１４と、硬貨処理機から硬貨が釣銭として払い出される出金口１５と、操作表示部１６とが設けられている。以下の説明では、硬貨処理機の説明は省略し、紙幣処理機に関してのみ説明する。
【００１７】
紙幣処理機において、図２に示したよう、紙幣の入金口１１近傍には、紙幣の投入を検出する投入検知センサ２１が設けられ、その下流側搬送路には、入金ゲート２２および入金判別センサ２３が設けられている。この紙幣搬送路の先には紙幣受入口２４を介して紙幣収納庫２６が設けられている。紙幣収納庫２６の下部には積載収納された紙幣を下から１枚ずつ分離して繰り出す繰り出し部２７が設けられている。紙幣が繰り出される紙幣収納庫２６の払出口の下流には出金判別センサ２８が設けられている。紙幣収納庫２６の払出口は出金口１２および垂直方向に配置された循環通路２９に接続されている。循環通路２９の下端部には紙幣の搬送路を切り換える切換ゲート３０が設けられ、上端部は紙幣収納庫２６への紙幣受入口２４に接続されている。また、循環通路２９の途中には循環通路２９の搬送路を紙幣回収庫１３の側へ切り換えるための回収ゲート３１を有している。ここで、出金口１２、紙幣回収庫１３、紙幣収納庫２６、循環通路２９は一体になっていて内部ユニット３２を構成し、この内部ユニット３２は引出し可能な状態で筐体３３に収められている。なお、紙幣収納庫２６には存高を精査するときに使用される精査紙３４が入っている。
【００１８】
入金口１１は、複数枚の紙幣を同時に受け入れることができるような高さの開口部を有し、ここで受け入れた複数の紙幣は、束の状態で入金判別センサ２３を通り、紙幣収納庫２６まで搬送されるようになっている。束の状態での紙幣の受け入れを可能にするため、入金判別センサ２３は入金紙幣の厚さをも検出する機能を有している。また、通常は、存高を精査するときの精査紙３４は紙幣収納庫２６内に紙幣と一緒に積載収納されている。
【００１９】
ここで、通常の取引時の紙幣処理機の紙幣の流れについて説明する。まず、入金口１１より１枚以上の紙幣が投入されると、投入検知センサ２１によって紙幣の投入が検出され、入金ゲート２２が開き、図示しない投入搬送モータが駆動される。紙幣が入金ゲート２２を通過すると、入金ゲート２２は閉じられる。紙幣は、入金判別センサ２３へ導かれて行き、ここで金種の判別および真偽の判定が行われる。入金判別センサ２３が真券（本物）であると判別できなかった紙幣については、入金口１１に戻され、真券または重なり紙幣と判別された紙幣は、中に導かれて行き、上部に設けられた紙幣受入口２４を通って、紙幣収納庫２６に積載収納される。
【００２０】
収納された紙幣は、図示しない上位制御装置から釣銭の払い出し指示があったとき、または、操作表示部１６で回収の操作をしたときには、繰り出し部２７により紙幣収納庫２６の下から１枚ずつ繰り出され、出金判別センサ２８にて金種判別される。ここで、出金すべき紙幣と判別されたならば、切換ゲート３０が出金口側に切り換えられ、紙幣は出金口１２へ導かれる。また、繰り出された紙幣が出金すべき紙幣と判別されなかった場合には、切換ゲート３０は循環通路側に切り換えられ、循環通路２９を経由して再度、紙幣収納庫２６に積載収納される。なお、繰り出された紙幣が釣銭としては使用されない１００００円紙幣の場合には、回収ゲート３１が紙幣回収庫１３の側に切り換えられ、紙幣回収庫１３に収納される。
【００２１】
図３は操作表示部の例を示す図である。金銭処理装置１０に設けられた操作表示部１６は、紙幣処理機および硬貨処理機に共通で使用される。この操作表示部１６には、各処理の選択を行う選択ボタン４１と、在高の参照を行う在高ボタン４２と、紙幣処理または硬貨処理の切り換えを行う切換ボタン４３と、特定金種の回収を行う回収ボタン４４と、操作取り消しを行う復旧ボタン４５と、補充操作を行うときの補充ボタン４６と、表示器４７とが設けられている。
【００２２】
釣銭準備金の紙幣を補充する場合には、補充ボタン４６を押下し、選択ボタンで動作モードを選択してから行う。そのときの動作モードは、表示器４７に表示される。
次に、この紙幣処理機の制御部の構成について説明する。
【００２３】
図４は紙幣処理機の制御部の構成例を示すブロック図である。紙幣処理機の制御部５０は入金判別センサ２３および出金判別センサ２８に接続された金種判別部５１と、プロセッサ（ＣＰＵ）５２と、在高メモリ５３と、循環カウンタ５４と、精査カウンタ５５と、設定メモリ５６とを備えている。プロセッサ５２には、金種判別部５１、在高メモリ５３、循環カウンタ５４、精査カウンタ５５、設定メモリ５６、および操作表示部１６が接続されている。
【００２４】
在高メモリ５３は枚数カウンタを取り扱い金種分用意してあり、１０００円枚数カウンタ５３ａと、５０００円枚数カウンタ５３ｂと、１００００円枚数カウンタ５３ｃとを有し、さらに束入金フラグメモリ５３ｄを有している。循環カウンタ５４は、補充、回収、出金時に循環する紙幣の枚数を金種別に計数するために、１０００円枚数カウンタ５４ａと、５０００円枚数カウンタ５４ｂと、判別不能フラグメモリ５４ｃとを有している。精査カウンタ５５は、精査時に金種別に紙幣の枚数を計数するために、１０００円枚数カウンタ５５ａと、５０００円枚数カウンタ５５ｂと、１００００円枚数カウンタ５５ｃと、判別不能件数カウンタ５５ｄとを有している。
【００２５】
設定メモリ５６は、釣銭準備金の補充を行うときに紙幣収納庫２６の底部にあった紙幣の一部を繰り出し、循環通路２９を介して紙幣収納庫２６に戻し、補充された紙幣の上に積載収納するように制御するが、そのときの１０００円および５０００円の循環枚数を設定するとともに、補充動作時に束で入金するときの１０００円および５０００円の枚数を仮枚数として設定している。循環枚数および仮枚数は、それぞれ個別に設定できるが、ここでは、１０００円が１０枚、５０００円が２枚と設定してあるものとする。
【００２６】
金種判別部５１は流通されている紙幣の３金種はもちろん、重なり紙幣、精査紙３４などを判別する機能をも有している。この金種判別部５１は、入金時に入金判別センサ２３が検出した紙幣の金種および重なり状態を判別し、その判別結果に基づいて、プロセッサ５２は在高メモリ５３の該当する金種の枚数カウンタに送り、＋１の加算をする。金種判別部５１はまた、出金判別センサ２８が紙幣収納庫２６から繰り出された紙幣を検出してその金種を判別し、その判別結果に基づいて、プロセッサ５２は在高メモリ５３に送り、該当する金種の枚数カウンタに対して−１の減算をする。さらに、金種判別部５１が重なり紙幣の検出をしたときは、プロセッサ５２はその検出結果を在高メモリ５３に送り、束入金フラグメモリ５３ｄに記憶する。
【００２７】
循環カウンタ５４は、出金または回収処理のときに、循環する紙幣を計数するもので、その計数結果は対応金種の枚数カウンタに記憶される。判別不能フラグメモリ５４ｃは、紙幣循環中に出金判別センサ２８が金種判別できなかったときに判別不能券ありのフラグが記憶される。これらは、出金判別センサ２８が精査紙３４を検出した場合にクリアされる。
【００２８】
精査カウンタ５５は、紙幣収納庫２６に収納された紙幣の存高を精査するときに使用され、金種別に存高を計数する。また、精査カウンタ５５の判別不能件数カウンタ５５ｄは、精査時に、出金判別センサ２８が重なり紙幣、混入した商品券、あるいは汚れ券などで金種判別できなかった判別不能件数を計数する。
【００２９】
なお、図示はしないが、この制御部５０は投入検知センサ２１に応答して投入搬送モータを駆動して入金された紙幣を紙幣収納庫２６まで搬送して収納したり、繰り出し部２７の起動・停止、切換ゲート３０および回収ゲート３１を切り換えたり、在高メモリ５３の内容と循環カウンタ５４の内容とを比較するなどの制御も行う。
【００３０】
次に、釣銭準備金を紙幣処理機に入金するときの処理について説明する。まず、たとえば運用開始前のように、紙幣処理機の紙幣収納庫２６が空の状態のときに釣銭準備金を補充する初期補充モードの動作を説明する。
【００３１】
図５および図６は初期補充モード動作の処理の流れを示すフローチャートである。この例では、空の状態の紙幣収納庫２６に対して釣銭準備金の５０００円を先に入金し、後から１０００円を入金するようにした初期補充モードでの動作の場合について説明する。
【００３２】
まず、操作表示部１６の補充ボタン４６を押下し、補充モードを選択する（ステップＳ１）。ここで、操作表示部１６の表示器４７に「５０００−１０００」が表示されていることで、５０００円／１０００円の初期補充モードの入金待機状態になる（ステップＳ２）。
【００３３】
次に、束入金の場合の仮枚数として設定した２枚の５０００円紙幣を束入金する。投入検知センサ２１がその束入金の投入を検知すると（ステップＳ３）、入金ゲート２２が解除され（ステップＳ４）、搬送ベルトが駆動し（ステップＳ５）、５０００円紙幣を紙幣収納庫２６へ入金する（ステップＳ６）。次に、制御部５０は、在高メモリ５３の５０００円枚数カウンタ５３ｂに仮枚数の「２」を加算する（ステップＳ７）。その後、入金ゲート２２が阻止側にセットされ（ステップＳ８）、搬送ベルトが停止されて投入検知待ちの状態になる（ステップＳ９）。
【００３４】
また、２枚の５０００円紙幣の束入金がなされれば、同じようにして、ステップＳ３〜１０が繰り返される。この５０００円紙幣の入金は、釣銭準備金として必要な枚数が補充されるまで繰り返し行う。このときには、紙幣収納庫２６内には、５０００円の釣銭準備金が積載収納されていることになる。
【００３５】
ステップＳ３の投入検知待ちの状態で投入の検知がない場合、操作表示部１６の復旧ボタン４５が押下されたかどうかが監視されている（ステップＳ１０）。復旧ボタン４５の押下が検知されると、次は、１０００円紙幣の入金待ちの状態に移り、操作表示部１６の表示器４７は、「１０００」の表示に切り換える（ステップＳ１１）。
【００３６】
次に、束入金の場合の仮枚数として設定した１０枚の１０００円紙幣を束入金する。投入検知センサ２１がその１０００円紙幣の投入を検知すると（ステップＳ１２）、入金ゲート２２が解除され（ステップＳ１３）、搬送ベルトが駆動し（ステップＳ１４）、１０００円紙幣を紙幣収納庫２６へ入金する（ステップＳ１５）。次に、制御部５０は、在高メモリ５３の１０００円枚数カウンタ５３ａに仮枚数の「１０」を加算する（ステップＳ１６）。その後、入金ゲート２２が阻止側にセットされ（ステップＳ１７）、搬送ベルトが一旦停止される（ステップＳ１８）。続いて、搬送ベルトの駆動が再開され（ステップＳ１９）、繰り出し部２７のローラが駆動される（ステップＳ２０）。ここで、紙幣収納庫２６の底部から所定枚数の繰り出しを行う（ステップＳ２１）。ここでは、５０００円の循環枚数は２枚としてあるので、２枚の５０００円紙幣が繰り出され、循環通路２９を通って紙幣収納庫２６へ戻される（ステップＳ２２）。所定枚数の循環が終了すると、繰り出し部２７のローラが停止され（ステップＳ２３）、搬送ベルトが停止されて投入検知待ちの状態になる（ステップＳ２４）。これにより、入金された１０００円紙幣は５０００円紙幣によってサンドイッチされた状態になる。
【００３７】
また、次の１０枚が入金されると、同じようにして、ステップＳ１２〜２４が繰り返され、１０００円紙幣の束が５０００円紙幣の束によってサンドイッチされた状態になる。この１０００円紙幣の入金は、釣銭準備金として必要な枚数が補充されるまで繰り返し行う。
【００３８】
ステップＳ１２の投入検知待ちの状態で投入の検知がない場合、操作表示部１６の復旧ボタン４５が押下されたかどうかが監視されている（ステップＳ２５）。復旧ボタン４５の押下が検知されると、釣銭準備金の補充は完了したと判断される。これにより、紙幣処理機としては、仮在高ではあるが、在高が分かっているので、釣銭が出せる状態になる。なお、この釣銭準備金の初期補充は、通常運用開始前に行われることが多いため、好ましくは、精査処理と連動させ、正確な在高を求めるようにしている。
【００３９】
以上の初期補充モードの動作は、空の状態の紙幣収納庫２６に対して釣銭準備金の５０００円を先に入金し、後から１０００円を入金する場合であるが、補充ボタン４６による設定によって、１０００円を先に入金し、後から５０００円を入金するようにしてもよい。この場合、先に入金した１０００円紙幣を５０００円紙幣の入金の度に所定枚数循環させるが、その循環枚数が５０００円／１０００円初期補充モードの２枚に比べて１０と多いため、入金に時間がかかる。
【００４０】
図７は初期補充モードを実行後の紙幣収納庫内の状態を示す概念図である。釣銭準備金の初期補充モードでは、先に、５０００円紙幣６１が何回かに分けて紙幣収納庫２６へ積載収納され、その後、１０００円紙幣６２が所定の枚数ずつ入金されるが、その度に先に収納された５０００円紙幣６１が紙幣収納庫２６の底部から所定枚数ずつ繰り出され、入金された１０００円紙幣の上に積載収納させることで、結果として、紙幣収納庫２６の中の状態は、５０００円紙幣６１の層と１０００円紙幣６２の層とが交互に積み重なった形になっている。
【００４１】
このように、１０００円紙幣６２の中に５０００円紙幣６１が分散して挿入されていることにより、運用開始直後にいずれの金種が釣銭として必要であっても、短時間で、すなわち、少ない循環枚数で目的の金種の紙幣を出金することができるようになる。
【００４２】
次に、運用中に釣銭として再利用するための紙幣が少なくなってきた場合、運用途中で釣銭準備金を補充してやらなければならないが、その途中補充の動作について説明する。
図８は途中補充モード動作の処理の流れを示すフローチャートである。この例では、運用中に１０００円紙幣が不足してきたことに対して１０００円紙幣を補充する場合について説明する。この不足は、紙幣収納庫２６内に収納されている紙幣があらかじめ決められた枚数以下になった場合に、金種別にその旨を操作表示部１６の表示器４７に表示されることによってレジ担当者に認識させることができる。
【００４３】
まず、操作表示部１６の補充ボタン４６を押下し、１０００円補充モードを選択する（ステップＳ３１）。ここで、操作表示部１６の表示器４７に「１０００」が表示されていることで、１０００円の途中補充モードの入金待機状態になる（ステップＳ３２）。
【００４４】
次に、束入金の場合の仮枚数として設定した１０枚の１０００円紙幣を束入金する。投入検知センサ２１がその１０００円紙幣の投入を検知すると（ステップＳ３３）、入金ゲート２２が解除され（ステップＳ３４）、搬送ベルトが駆動し（ステップＳ３５）、１０００円紙幣を紙幣収納庫２６へ入金する（ステップＳ３６）。次に、制御部５０は、在高メモリ５３の１０００円枚数カウンタ５３ａに仮枚数の「１０」を加算する（ステップＳ３７）。その後、入金ゲート２２が阻止側にセットされ（ステップＳ３８）、搬送ベルトが一旦停止される（ステップＳ３９）。続いて、搬送ベルトの駆動が再開され（ステップＳ４０）、繰り出し部２７のローラが駆動される（ステップＳ４１）。ここで、紙幣収納庫２６の底部から所定枚数の繰り出しを行う（ステップＳ４２）。繰り出された紙幣は、循環通路２９を通って紙幣収納庫２６へ戻される（ステップＳ４３）。所定枚数の循環が終了すると、繰り出し部２７のローラが停止され（ステップＳ４４）、搬送ベルトが停止されて投入検知待ちの状態になる（ステップＳ４５）。これにより、入金された１０００円紙幣の上に、紙幣収納庫２６の底部にあった所定枚数の紙幣が乗せられる。
【００４５】
また、次の１０枚が入金されると、同じようにして、ステップＳ３３〜４５が繰り返される。
ステップＳ３３の投入検知待ちの状態で投入の検知がない場合、操作表示部１６の復旧ボタン４５が押下されたかどうかが監視されている（ステップＳ４６）。復旧ボタン４５の押下が検知されると、釣銭準備金の追加補充は完了したと判断され、待機状態へ戻る。
【００４６】
ところで、運用中に束の入金があると、それは１０００円紙幣が２枚であるというふうに枚数を少なく見積もって仮在高を求めている。このように、束入金には誤差が含まれているため、束入金の回数が増えるほど、実枚数から離れる可能性がある。また、５０００円紙幣を少なくとも１枚含む紙幣が束で入金された場合、その入金は１０００円紙幣２枚に換算した枚数で認識されるため、実際には５０００円紙幣が存在するにもかかわらず、その５０００円紙幣は存在しないものとして扱われ、この場合も、束入金の回数が増えるほど、実枚数から離れてしまう可能性がある。
【００４７】
そこで、制御部５０は、出金または回収処理において、紙幣収納庫２６から紙幣が繰り出されるのは１枚ずつであり、しかも出金判別センサ２８により１枚ずつ金種判別が行われていることを利用して、紙幣収納庫２６内の在高を補正し、実枚数に近づけるように制御する。
【００４８】
図９は紙幣収納庫在高の自動更新処理の流れを示すフローチャートである。出金または回収処理では、まず、搬送ベルトを駆動し（ステップＳ５１）、繰り出し部２７のローラを駆動して紙幣収納庫２６から紙幣を１枚繰り出す（ステップＳ５２）。次に、出金判別センサ２８により金種判別が行われる（ステップＳ５３）。ここで、１０００円と判断された場合には、１０００円検出処理へ移り（ステップＳ５４）、５０００円と判断された場合には、５０００円検出処理へ移り（ステップＳ５５）、精査紙と判断された場合には、精査紙検出処理へ移る（ステップＳ５６）。１００００円と判断された場合には、回収ゲート３１を紙幣回収庫１３の側へ切り換え（ステップＳ５７）、切換ゲート３０を循環通路２９の側へ切り換えて（ステップＳ５８）、紙幣回収庫１３へ収納する。もし、重なり紙幣、商品券などの繰り出しにより金種が判別不能である場合には、ステップＳ５８に移り、切換ゲート３０を循環通路２９の側へ切り換えて判別不能紙幣を紙幣収納庫２６へ戻す。
【００４９】
金種判別の結果に応じた処理が済むと、出金または回収が終了したかどうかが判断され（ステップＳ５９）、終了していなければ、ステップＳ５３に戻って、次に繰り出されてきた紙幣の金種判別を行う。出金または回収が終了した場合には、繰り出し部２７のローラを停止し（ステップＳ６０）、搬送ベルトを停止する（ステップＳ６１）。
【００５０】
図１０は１０００円検出処理の流れを示すフローチャートである。金種判別で１０００円が検出されると、その紙幣は放出対象金種かどうかが判断される（ステップＳ７１）。放出対象金種でなければ、切換ゲート３０を循環通路２９の側へ切り換え（ステップＳ７２）、循環カウンタ５４の１０００円枚数カウンタ５４ａを＋１加算する（ステップＳ７３）。次に、循環カウンタ５４の１０００円枚数カウンタ５４ａと在高メモリ５３の１０００円枚数カウンタ５３ａとを比較する（ステップＳ７４）。循環カウンタ５４の１０００円枚数カウンタ５４ａの計数値が在高メモリ５３の１０００円枚数カウンタ５３ａの計数値よりも大きければ、循環カウンタ５４の１０００円枚数カウンタ５４ａの計数値を在高メモリ５３の１０００円枚数カウンタ５３ａに転記し（ステップＳ７５）、大きくなければ、転記しない。これにより、在高メモリ５３の１０００円枚数カウンタ５３ａの値は、循環動作の途中で実際に計数された値より小さかった場合には、その実際に計数された値に補正される。
【００５１】
ステップＳ７１の判断にて、検出された１０００円が放出対象金種であれば、切換ゲート３０を出金口１２の側へ切り換え（ステップＳ７６）、在高メモリ５３の１０００円枚数カウンタ５３ａを−１加算する（ステップＳ７７）。
【００５２】
図１１は５０００円検出処理の流れを示すフローチャートである。金種判別で５０００円が検出されると、その紙幣は放出対象金種かどうかが判断される（ステップＳ８１）。放出対象金種でなければ、切換ゲート３０を循環通路２９の側へ切り換え（ステップＳ８２）、循環カウンタ５４の５０００円枚数カウンタ５４ｂを＋１加算する（ステップＳ８３）。次に、循環カウンタ５４の５０００円枚数カウンタ５４ｂと在高メモリ５３の５０００円枚数カウンタ５３ｂとを比較する（ステップＳ８４）。循環カウンタ５４の５０００円枚数カウンタ５４ｂの計数値が在高メモリ５３の５０００円枚数カウンタ５３ｂの計数値よりも大きければ、循環カウンタ５４の５０００円枚数カウンタ５４ｂの計数値を在高メモリ５３の５０００円枚数カウンタ５３ｂに転記し（ステップＳ８５）、大きくなければ、転記しない。これにより、在高メモリ５３の５０００円枚数カウンタ５３ｂの値は、循環動作の途中で実際に計数された値より小さかった場合には、その実際に計数された値に補正される。
【００５３】
ステップＳ８１の判断にて、検出された５０００円が放出対象金種であれば、切換ゲート３０を出金口１２の側へ切り換え（ステップＳ８６）、在高メモリ５３の５０００円枚数カウンタ５３ｂを−１加算する（ステップＳ８７）。
【００５４】
図１２は精査紙検出処理の流れを示すフローチャートである。金種判別で精査紙が検出されると、在高メモリの束入金フラグメモリ５３ｄを参照して、前回の精査紙検出から束入金があったかどうかが判断される（ステップＳ９１）。束入金がなければ、循環カウンタ５４の判別不能フラグメモリ５４ｃを参照して循環中に判別不能があったかどうかが判断される（ステップＳ９２）。ここで、精査紙が一巡する間に在高の不確定要因である束入金がなく、判別不能紙幣がなかった場合には、実質的に精査処理を行った場合と同じなので、この場合は、循環カウンタ５４の１０００円枚数カウンタ５４ａの循環枚数に入金枚数を加えた値から出金された枚数を差し引いた値を在高メモリ５３の１０００円枚数カウンタ５３ａに転記し、循環カウンタ５４の５０００円枚数カウンタ５４ｂの循環枚数に入金枚数を加えた値から出金された枚数を差し引いた値を在高メモリ５３の５０００円枚数カウンタ５３ｂに転記する（ステップＳ９３）。
【００５５】
束入金があった場合あるいは判別不能紙幣があった場合には、切換ゲート３０を循環通路２９の側へ切り換え（ステップＳ９４）、循環カウンタ５４の１０００円枚数カウンタ５４ａを０クリアし（ステップＳ９５）、循環カウンタ５４の５０００円枚数カウンタ５４ｂを０クリアし（ステップＳ９６）、束入金フラグメモリ５３ｄおよび判別不能フラグメモリ５４ｃをリセットする（ステップＳ９７）。
【００５６】
以上の処理により、運用中に紙幣の束入金があったとしても、紙幣収納庫２６内の在高は、逐次自動補正されることになり、束入金による誤差が累積することがない。
【図面の簡単な説明】
【００５７】
【図１】本発明の紙幣処理機を搭載した金銭処理装置の外観を示す図である。
【図２】紙幣処理機の内部構成を示す側断面図である。
【図３】操作表示部の例を示す図である。
【図４】紙幣処理機の制御部の構成例を示すブロック図である。
【図５】初期補充モード動作の処理の流れを示すフローチャート（その１）である。
【図６】初期補充モード動作の処理の流れを示すフローチャート（その２）である。
【図７】初期補充モードを実行後の紙幣収納庫内の状態を示す概念図である。
【図８】途中補充モード動作の処理の流れを示すフローチャートである。
【図９】紙幣収納庫在高の自動更新処理の流れを示すフローチャートである。
【図１０】１０００円検出処理の流れを示すフローチャートである。
【図１１】５０００円検出処理の流れを示すフローチャートである。
【図１２】精査紙検出処理の流れを示すフローチャートである。
【符号の説明】
【００５８】
１０  金銭処理装置
１１  入金口
１２  出金口
１３  紙幣回収庫
１６  操作表示部
２０  紙幣受入口
２１  投入検知センサ
２２  入金ゲート
２３  入金判別センサ
２４  紙幣受入口
２６  紙幣収納庫
２７  繰り出し部
２８  出金判別センサ
２９  循環通路
３０  切換ゲート
３１  回収ゲート
３２  内部ユニット
３３  筐体
３４  精査紙
４１  選択ボタン
４２  在高ボタン
４３  切換ボタン
４４  回収ボタン
４５  復旧ボタン
４６  補充ボタン
４７  表示器
５０  制御部
５１  金種判別部
５２  プロセッサ
５３  在高メモリ
５３ａ  １０００円枚数カウンタ
５３ｂ  ５０００円枚数カウンタ
５３ｃ  １００００円枚数カウンタ
５３ｄ  束入金フラグメモリ
５４  循環カウンタ
５４ａ  １０００円枚数カウンタ
５４ｂ  ５０００円枚数カウンタ
５４ｃ  判別不能フラグメモリ
５５  精査カウンタ
５５ａ  １０００円枚数カウンタ
５５ｂ  ５０００円枚数カウンタ
５５ｃ  １００００円枚数カウンタ
５５ｄ  判別不能件数カウンタ
５６  設定メモリ
【図１】
2005302060.tif 000003
【図２】
2005302060.tif 000004
【図３】
2005302060.tif 000005
【図４】
2005302060.tif 000006
【図５】
2005302060.tif 000007
【図６】
2005302060.tif 000008
【図７】
2005302060.tif 000009
【図８】
2005302060.tif 000010
【図９】
2005302060.tif 000011
【図１０】
2005302060.tif 000012
【図１１】
2005302060.tif 000013
【図１２】
2005302060.tif 000014